(57)【要約】  番組映像及び放送情報を受信する複数の放送受信部１０，２０と、番組映像を選択的に主画面、子画面として合成する映像選択合成部５０と、番組映像を表示する複数のモニタ１０２，１１２と、空き状態の放送受信部１０，２０を検出する空き検出部９４、操作入力部１０１，１１１を介して放送情報取得が指示され、空き状態の放送受信部がない場合に、放送受信部１０（２０）の受信を中止させ、映像選択合成部５０に、他の放送受信部２０（１０）からの番組映像をモニタ１０２（１１２）に主画面として出力させる空き作成部９７、放送情報取得が指示された場合に、空き状態の放送受信部２０（１０）に放送情報を取得させる放送情報取得指示部９６を有する制御部９０とを備えた。
2012053039.tif 000002
【特許請求の範囲】
【請求項１】
番組映像及び当該番組の放送情報を含む放送波を受信する複数の放送受信部と、
前記各放送受信部により受信された番組映像を分配する映像分配部、前記映像分配部により分配された番組映像を縮小処理する映像縮小部、及び、前記映像分配部により分配された少なくとも１つの番組映像を主画面とし、前記映像縮小部により縮小処理された番組映像を子画面として合成する映像合成部を有する映像選択合成部と、
前記映像選択合成部から出力された番組映像を表示する複数のモニタと、
ユーザから視聴可能な番組の放送情報取得指示を受け付ける操作入力部と、
番組映像を受信していない放送受信部を検出する空き検出部、前記操作入力部を介して放送情報取得が指示され、前記空き検出部により番組映像を受信していない放送受信部がないと判断された場合に、前記ユーザが番組視聴しているモニタに対応する放送受信部の受信を中止させ、且つ、前記映像選択合成部に、他の放送受信部からの番組映像を当該モニタに主画面として出力させる空き作成部、及び、前記操作入力部を介して放送情報取得が指示された場合に、番組映像を受信していない放送受信部に放送情報を取得させる放送情報取得指示部を有する制御部と
を備えたデジタル放送受信機。
【請求項２】
空き作成部は、操作入力部を介して放送情報取得が指示され、空き検出部により番組映像を受信していない放送受信部がないと判断された場合に、主画面としてモニタに表示されていない番組映像を受信している放送受信部が存在する場合には、当該放送受信部による番組映像の受信を中止させる
ことを特徴とする請求項１記載のデジタル放送受信機。
【請求項３】
番組映像及び当該番組の放送情報を含む放送波を受信する複数の放送受信部と、
前記各放送受信部により受信された放送情報を蓄積する放送情報蓄積部と、
前記各放送受信部により受信された番組映像を分配する映像分配部、前記映像分配部により分配された番組映像を縮小処理する映像縮小部、及び、前記映像分配部により分配された少なくとも１つの番組映像を主画面とし、前記映像縮小部により縮小処理された番組映像を子画面として合成する映像合成部を有する映像選択合成部と、
前記映像選択合成部から出力された番組映像を表示する複数のモニタと、
ユーザから番組表表示指示及び番組選局指示を受け付ける操作入力部と、
前記操作入力部を介して番組表表示が指示された場合、前記放送情報蓄積部に蓄積された放送情報に基づく番組表を、所定のモニタに表示させる番組表表示指示部、及び、前記操作入力部を介して、番組表が表示されたモニタ以外のモニタに対する主画面または子画面の番組選局が指示された場合に、所定の放送受信部に指示された番組映像を受信させ、前記映像選択合成部に、当該放送受信部からの番組映像を番組選局対象のモニタに主画面または子画面として出力させる番組選局指示部を有する制御部と
を備えたデジタル放送受信機。
【請求項４】
操作入力部は、ユーザから番組映像を受信させる放送受信部の選択を受け付け、
番組選局指示部は、番組表が表示されたモニタ以外のモニタに対する主画面または子画面の番組選局が指示された場合に、前記操作入力部を介して選択された放送受信部に番組映像を受信させる
ことを特徴とする請求項３記載のデジタル放送受信機。
【発明の詳細な説明】
【技術分野】
【０００１】
この発明は、子画面表示（ＰｉｎＰ＝Ｐｉｃｔｕｒｅ  ｉｎ  Ｐｉｃｔｕｒｅ）機能を有し、複数の放送受信部で選局受信した番組映像を、それぞれ独立に選択表示可能な複数のモニタで表示するデジタル放送受信機に関するものである。
【背景技術】
【０００２】
複数の放送受信部を備えたデジタル放送受信機として、例えば、特許文献１に示すような、複数のチューナ間でのアンテナ利用の効率化を図るように構成された放送受信機がある。この特許文献１に開示された放送受信機は、マルチビュー表示装置（もしくは複数の表示装置）に接続され、選局状態に応じてダイバーシティ／チューナの選局状態を変更する。
また、特許文献２に示すような、子画面表示装置機能付きテレビジョン受像機がある。この特許文献２に開示された受像機は、複数のチューナと映像処理部を用いて、番組視聴中に他局の番組を順次受信することによって、複数の子画面を表示している。
【先行技術文献】
【特許文献】
【０００３】
【特許文献１】特開２００７−４３６５８号公報
【特許文献２】特許３０３７０４１号公報
【発明の概要】
【０００４】
しかしながら、特許文献１，２に開示される従来のデジタル放送受信機において、放送受信部からの番組映像がモニタに表示されている状態で、視聴可能な番組の放送情報取得を指示した場合、放送受信部による番組映像の受信が中止されて放送情報の取得が行われる。そのため、放送受信部が放送情報を取得している間は、モニタに番組映像が表示されず、ユーザの番組視聴が妨げられてしまうという課題があった。
また、放送受信部からの番組映像がモニタに表示されている状態で、番組表表示を指示した場合、番組表が番組映像から切り替えられてモニタに表示される。そのため、番組表を表示している間は、モニタに番組映像が表示されず、ユーザの番組視聴が妨げられてしまうという課題があった。
【０００５】
この発明は、上記のような課題を解決するためになされたもので、複数の放送受信部を有効利用することで、ユーザの番組視聴を妨げることなく各種動作を行うことができるデジタル放送受信機を提供することを目的としている。
【０００６】
この発明に係るデジタル放送受信機は、番組映像及び当該番組の放送情報を含む放送波を受信する複数の放送受信部と、各放送受信部により受信された番組映像を分配する映像分配部、映像分配部により分配された番組映像を縮小処理する映像縮小部、及び、映像分配部により分配された少なくとも１つの番組映像を主画面とし、映像縮小部により縮小処理された番組映像を子画面として合成する映像合成部を有する映像選択合成部と、映像選択合成部から出力された番組映像を表示する複数のモニタと、ユーザから視聴可能な番組の放送情報取得指示を受け付ける操作入力部と、番組映像を受信していない放送受信部を検出する空き検出部、操作入力部を介して放送情報取得が指示され、空き検出部により番組映像を受信していない放送受信部がないと判断された場合に、ユーザが番組視聴しているモニタに対応する放送受信部の受信を中止させ、且つ、映像選択合成部に、他の放送受信部からの番組映像を当該モニタに主画面として出力させる空き作成部、及び、操作入力部を介して放送情報取得が指示された場合に、番組映像を受信していない放送受信部に放送情報を取得させる放送情報取得指示部を有する制御部とを備えたものである。
【０００７】
また、この発明に係るデジタル放送受信機は、番組映像及び当該番組の放送情報を含む放送波を受信する複数の放送受信部と、各放送受信部により受信された放送情報を蓄積する放送情報蓄積部と、各放送受信部により受信された番組映像を分配する映像分配部、映像分配部により分配された番組映像を縮小処理する映像縮小部、及び、映像分配部により分配された少なくとも１つの番組映像を主画面とし、映像縮小部により縮小処理された番組映像を子画面として合成する映像合成部を有する映像選択合成部と、映像選択合成部から出力された番組映像を表示する複数のモニタと、ユーザから番組表表示指示及び番組選局指示を受け付ける操作入力部と、操作入力部を介して番組表表示が指示された場合、放送情報蓄積部に蓄積された放送情報に基づく番組表を、所定のモニタに表示させる番組表表示指示部、及び、操作入力部を介して、番組表が表示されたモニタ以外のモニタに対する主画面または子画面の番組選局が指示された場合に、所定の放送受信部に指示された番組映像を受信させ、映像選択合成部に、当該放送受信部からの番組映像を番組選局対象のモニタに主画面または子画面として出力させる番組選局指示部を有する制御部とを備えたものである。
【０００８】
この発明によれば、上記のように構成したので、複数の放送受信部を有効利用することで、ユーザの番組視聴を妨げることなく、放送情報の取得や、番組表表示・番組選局を行うことができる。
【図面の簡単な説明】
【０００９】
【図１】この発明の実施の形態１に係るデジタル放送受信機の構成を示すブロック図である。
【図２】この発明の実施の形態１に係るデジタル放送受信機の映像選択合成部の構成を示すブロック図である。
【図３】この発明の実施の形態１に係るデジタル放送受信機の制御部の構成を示すブロック図である。
【図４】この発明の実施の形態１に係るデジタル放送受信機の同一番組表示動作を示すフローチャートである。
【図５】この発明の実施の形態１に係るデジタル放送受信機の同一番組表示動作を説明する概略図であり、（ａ）両モニタでの別主画面表示を示す図であり、（ｂ）両モニタでの同一主画面表示を示す図である。
【図６】この発明の実施の形態１に係るデジタル放送受信機の子画面表示動作を示すフローチャートである。
【図７】この発明の実施の形態１に係るデジタル放送受信機の子画面表示動作を説明する概略図であり、（ａ）両モニタでの主画面表示を示す図であり、（ｂ）両モニタでの主画面及び子画面表示を示す図である。
【図８】この発明の実施の形態１に係るデジタル放送受信機の放送情報取得動作を示すフローチャートである。
【図９】この発明の実施の形態１に係るデジタル放送受信機の放送情報取得動作を説明する概略図であり、（ａ）両モニタでの主画面及び子画面表示を示す図であり、（ｂ）一方の放送受信部での受信中止、両モニタでの同一主画面表示を示す図であり、（ｃ）一方の放送受信部での放送情報受信を示す図である。
【図１０】この発明の実施の形態２に係るデジタル放送受信機の構成を示すブロック図である。
【図１１】この発明の実施の形態２に係るデジタル放送受信機の放送情報取得動作を説明する概略図であり、（ａ）両モニタでの主画面及び子画面表示を示す図であり、（ｂ）サブ選局のみを行っている放送受信部での放送情報受信を示す図である。
【図１２】この発明の実施の形態３に係るデジタル放送受信機の制御部の構成を示すブロック図である。
【図１３】この発明の実施の形態３に係るデジタル放送受信機の番組選局動作を示すフローチャートである。
【図１４】この発明の実施の形態３に係るデジタル放送受信機の番組選局動作を説明する概略図であり、（ａ）他モニタの主画面選局を示す図であり、（ｂ）他モニタの子画面選局を示す図である。
【発明を実施するための形態】
【００１０】
以下、この発明の実施の形態について図面を参照しながら詳細に説明する。なお、以下の実施の形態では、車載用のデジタル放送受信機を用いた場合について説明する。
実施の形態１．
デジタル放送受信機１は、図１に示すように、複数の放送受信部である放送受信部１０，２０、デジタル復号部３０、音声選択部４０、映像選択合成部５０、出力制御部６０，７０、放送情報蓄積部８０、制御部９０及び複数の出力部である出力部１００，１１０から構成されている。このデジタル放送受信機１の構成は、通常のデジタル放送受信機に備えられた構成とほぼ同様である。
【００１１】
放送受信部１０，２０は、それぞれ、アンテナ１１，２１、チューナ１２，２２及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調部１３，２３から構成されている。
アンテナ１１，２１は、ＵＨＦ（Ｕｌｔｒａ  Ｈｉｇｈ  Ｆｒｅｑｕｅｎｃｙ）帯の１３〜６２チャンネルで放送される地上デジタルテレビジョン放送波（以下、放送波）のうち、チューナ１２，２２で選局される所望のチャンネル（放送番組）の放送波を受信するものである。
ＯＦＤＭ復調部１３，２３は、アンテナ１１，２１により受信された放送波をＯＦＤＭ復調するものである。このＯＦＤＭ復調部１３，２３によりＯＦＤＭ復調されたトランスポートストリーム（Ｔｒａｎｓｐｏｒｔ  Ｓｔｒｅａｍ、以下、ＴＳと称す）は、放送番組データとしてパケット化されてデジタル復号部３０に出力される。
【００１２】
デジタル復号部３０は、デマルチプレクサ３１、オーディオデコーダ３２、グラフィクス作成部３３及びビデオデコーダ３４から構成されている。
デマルチプレクサ３１は、ＯＦＤＭ復調部１３，２３から出力されたＴＳを番組音声情報（オーディオストリーム）、番組映像情報（ビデオストリーム）及び番組の放送情報（カルーセル、ＳＩ（Ｓｅｒｖｉｃｅ  Ｉｎｆｏｒｍａｔｉｏｎ）及びＥＰＧ（Ｅｌｅｃｔｒｏｎｉｃ  Ｐｒｏｇｒａｍ  Ｇｕｉｄｅ）等）に分離するものである。このデマルチプレクサ３１により分離された番組音声情報はオーディオデコーダ３２に出力され、番組映像情報はビデオデコーダ３４に出力され、放送情報は制御部９０を介して放送情報蓄積部８０に出力される。
【００１３】
オーディオデコーダ３２は、デマルチプレクサ３１によりＴＳから分離された番組音声情報をデコードするものである。このオーディオデコーダ３２によりデコードされた番組音声は音声選択部４０に出力される。
ビデオデコーダ３４は、デマルチプレクサ３１によりＴＳから分離された番組映像情報をデコードするものである。このビデオデコーダ３４によりデコードされた番組映像は映像選択合成部５０に出力される。
グラフィクス作成部３３は、放送情報蓄積部８０に蓄積された放送情報を抽出し、データ放送／文字スーパー／番組表等のグラフィクスを作成するものである。このグラフィクス作成部３３により作成されたグラフィクスは出力制御部６０，７０ごとに出力される。
【００１４】
音声選択部４０は、オーディオデコーダ３２から出力された複数の番組音声から音声を選択するものである。音声選択部４０により選択された番組音声は出力制御部６０，７０ごとに出力される。
【００１５】
映像選択合成部５０は、ビデオデコーダ３４から出力された複数の番組映像から選択的に番組映像を合成するものである。この映像選択合成部５０により選択的に合成された番組映像は出力制御部６０，７０ごとに出力される。この映像選択合成部５０は、図２に示すように、映像分配部５１、映像縮小部５２，５３及び映像合成部５４，５５から構成されている。
【００１６】
映像分配部５１は、デジタル復号部３０から出力された複数の番組映像を映像縮小部５２，５３及び映像合成部５４，５５に分配するものである。
映像縮小部５２，５３は、映像分配部５１により分配された番組映像に基づいて、子画面映像（縮小映像）を作成するものである。この映像縮小部５２，５３により作成された子画面映像は対応する映像合成部５４，５５に出力される。
映像合成部５４，５５は、それぞれ映像分配部５１により分配された少なくとも１つの番組映像を主画面とし、映像縮小部５２，５３により縮小処理された子画面映像を子画面として合成するものである。
【００１７】
出力制御部６０，７０は、表示制御部６１，７１及び音声制御部６２，７２から構成されている。
表示制御部６１，７１は、グラフィクス作成部３３により作成されたグラフィクスと映像選択合成部５０から出力された番組映像とを合成するものである。この表示制御部６１，７１により合成された番組映像はモニタ１０２，１１２に出力される。
音声制御部６２，７２は、音声選択部４０から出力された番組音声を制御するものである。この音声制御部６２，７２により制御された番組音声はスピーカ１０３，１１３に出力される。
【００１８】
放送情報蓄積部８０は、デジタル復号部３０によりＴＳから分離された放送情報を蓄積するものである。
制御部９０は、ユーザによる各種指示を受け付ける操作入力部１０１，１１１から出力された信号に基づいてデジタル放送受信機１全体を制御するものである。この制御部９０は、図３に示すように、同一番組判断部９１、同一番組選局指示部９２、子画面情報保持部９３、空き検出部９４、子画面表示指示部９５、放送情報取得指示部９６及び空き作成部９７から構成されている。
【００１９】
同一番組判断部９１は、操作入力部１０１（１１１）を介してユーザからモニタ１０２（１１２）に対する番組選局が指示された場合に、番組選局対象のモニタ１０２（１１２）に対応する放送受信部１０（２０）以外の放送受信部２０（１０）からの番組映像と、ユーザから指示された番組映像とが同一であるかを判断するものである。
【００２０】
同一番組選局指示部９２は、同一番組判断部９１により番組選局対象のモニタ１０２（１１２）に対応する放送受信部１０（２０）以外の放送受信部２０（１０）からの番組映像と、ユーザから指示された番組映像とが同一であると判断された場合に、放送受信部１０（２０）による番組映像の受信を中止させ、放送受信部２０（１０）からの番組映像をモニタ１０２（１１２）にも表示させるものである。
【００２１】
子画面情報保持部９３は、モニタ１０２，１１２に子画面映像を合成した番組映像を表示する場合の子画面映像のサイズ及び子画面配置設定情報を示す子画面情報を保持するものである。
空き検出部９４は、放送波（番組映像）を受信していない放送受信部１０，２０、すなわち、空き状態の放送受信部１０，２０を検出するものである。
【００２２】
子画面表示指示部９５は、操作入力部１０１（１１１）を介してユーザからモニタ１０２（１１２）に対する子画面表示が指示された場合に、モニタ１０２（１１２）に対応する放送受信部１０（２０）以外の放送受信部２０（１０）からの番組映像を子画面としてモニタ１０２（１１２）に表示させるものである。
放送情報取得指示部９６は、操作入力部１０１（１１１）を介してユーザから視聴可能な番組の放送情報取得が指示された場合に、空き状態の放送受信部１０，２０に放送情報を取得させるものである。
【００２３】
空き作成部９７は、操作入力部１０１（１１１）を介してユーザから放送情報取得が指示され、空き検出部９４により空き状態の放送受信部１０，２０がないと判断された場合に、所定の放送受信部１０（２０）による放送波（番組映像）の受信を中止させ、空き状態にさせるものである。
【００２４】
ここで空き作成部９７は、各放送受信部１０，２０からの番組映像が全て主画面として各モニタ１０２，１１２に表示されている場合には、ユーザが番組視聴しているモニタ１０２（１１２）に対応する放送受信部１０（２０）による番組映像の受信を中止させ、放送受信部２０（１０）からの番組映像を主画面としてモニタ１０２（１１２）にも表示させる。
一方、空き作成部９７は、主画面としてモニタ１０２，１１２に表示されていない番組映像を受信している放送受信部２０（１０）が存在する場合には、この放送受信部２０（１０）による番組映像の受信を中止させる。
【００２５】
出力部１００，１１０は、実施の形態１においては、それぞれ前席側、後席側に設置されているものとして、前席側出力部１００、後席側出力部１１０とする。この出力部１００，１１０は、操作入力部１０１，１１１、遠隔操作により操作入力部１０１，１１１に信号を出力するリモコン１０１ａ，１１１ａ、モニタ１０２，１１２及びスピーカ１０３，１１３から構成されている。
【００２６】
操作入力部１０１，１１１は、リモコン１０１ａ，１１１ａ又は操作入力部１０１，１１１に設けられている図示しない操作ボタンをユーザが操作することによるデジタル放送受信機１に対する各種指示を受け付けるものである。この操作入力部１０１，１１１により受け付けられた指示内容を示す信号は制御部９０に出力される。
モニタ１０２，１１２は、出力制御部６０，７０からの番組映像を映像出力として出力するものである。
スピーカ１０３，１１３は、出力制御部６０，７０からの番組音声を音声出力として出力するものである。
【００２７】
なお、デジタル放送受信機１の各構成部で用いられるハードウェアは、家庭用のデジタルテレビ放送受信機と同様である。例えば、放送受信部１０，２０に相当する部分は、電波の受信回路やチューナやデジタル復調用のＬＳＩ（Ｌａｒｇｅ  Ｓｃａｌｅ  Ｉｎｔｅｇｒａｔｉｏｎ）であり、デジタル復号部３０に相当する部分は、多入力多出力のＭＰＥＧ (Ｍｏｖｉｎｇ  Ｐｉｃｔｕｒｅ  Ｅｘｐｅｒｔｓ  Ｇｒｏｕｐ) 処理用のＬＳＩであり、出力制御部６０，７０に相当する部分は、音声出力回路や映像出力回路であり、操作入力部１０１，１１１に相当する部分は、リモコン受信回路等であり、放送情報蓄積部８０に相当する部分は、揮発性メモリや不揮発性メモリであり、制御部９０に相当する部分はマイクロコンピュータと揮発性メモリや不揮発性メモリである。
【００２８】
次に、上記のように構成されたデジタル放送受信機１の全体動作について説明する。
まず、アンテナ１１，２１は、ＵＨＦ帯の１３〜６２チャンネルで放送される放送波のうち、チューナ１２，２２で選局される所望のチャンネルの放送波を受信する。次いで、ＯＦＤＭ復調部１３，２３は、受信した放送波をＯＦＤＭ復調して放送番組データとしてのＴＳをデジタル復号部３０に出力する。ここで、ＴＳはＭＰＥＧ−２規格とＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：社団法人  電波産業会）標準規格に準拠して映像・音声や放送情報である番組情報やデータ放送、文字スーパー等を多重化したデータ列（ストリーム）である。
【００２９】
以下、ＴＳを区別する必要がある場合には、放送受信部１０から出力されるＴＳをＴＳ１とし、放送受信部２０から出力されるＴＳをＴＳ２とする。また、接尾辞としてサフィックス（ｓｕｆｆｉｘ）ｔｓ１，ｔｓ２を付けることとする。例えば、ＴＳ１から分離された情報は、それぞれオーディオストリームｔｓ１／ビデオストリームｔｓ１／放送情報ｔｓ１とする。ＴＳ２から分離された情報はオーディオストリームｔｓ２／ビデオストリームｔｓ２／放送情報ｔｓ２とする。ただし、区別する必要がない場合はサフィックスを付加しない。
【００３０】
次いで、デジタル復号部３０は、各放送受信部１０，２０により復調された各放送番組データからモニタ１０２，１１２で表示可能な形式の番組映像等に復号する。
まず、デマルチプレクサ３１では、ＴＳ１及びＴＳ２内に多重化されている情報を解析して、番組音声情報、番組映像情報及び放送情報に分離する。デマルチプレクサ３１により分離された放送情報は制御部９０に出力され、データ加工された後に放送情報蓄積部８０に蓄積される。
【００３１】
グラフィクス作成部３３では、放送情報蓄積部８０に蓄積された放送情報を抽出し、データ放送／文字スーパー／番組表等のグラフィクスを作成する。オーディオデコーダ３２では、デマルチプレクサ３１で分離されたオーディオストリームｔｓ１／オーディオストリームｔｓ２をデコードし、番組音声ｔｓ１及び番組音声ｔｓ２として出力する。ビデオデコーダ３４では、デマルチプレクサ３１で分離されたビデオストリームｔｓ１及びビデオストリームｔｓ２をデコードし、番組映像ｔｓ１及び番組映像ｔｓ２として出力する。
【００３２】
なお、デジタル復号部３０はＴＳを複数入力することができ、複数の出力先へ番組映像、番組音声、グラフィクスを出力しており、多入力多出力を行うものである。例えば、実施の形態１の場合、２つのＴＳを入力して、２つの出力先へ出力している。
【００３３】
次いで、表示制御部６１，７１は、映像選択合成部５０から出力された番組映像とグラフィクス作成部３３から出力されたデータ放送、文字スーパー、字幕、ＥＰＧ等に関するグラフィクスやメニュー画面のグラフィクスとの合成を行う。この表示制御部６１，７１により合成された番組映像はそれぞれモニタ１０２，１１２に出力される。
なお、メニュー画面のグラフィクスは制御部９０で作成することを想定しているが、グラフィクス作成部３３で行ってもよい。
【００３４】
次いで、音声選択部４０は、デジタル復号部３０から出力された番組音声ｔｓ１を音声制御部６２に、番組音声ｔｓ２を音声制御部７２に振り分ける。次いで、音声制御部６２、７２は、振り分けられた番組音声ｔｓ１，ｔｓ２に対して音量調整などの制御を行う。その後、番組音声ｔｓ１は前席スピーカ１０３から前席ユーザに出力され、番組音声ｔｓ２は後席スピーカ１１３から後席ユーザに出力される。
【００３５】
次に、デジタル放送受信機１の同一番組表示動作について説明する。
ここで、モニタ１０２，１１２で番組映像を主画面として表示することをメイン表示、放送受信部でメイン表示の放送番組を選局することをメイン選局、放送受信部で子画面として表示する放送番組を選局することをサブ選局と定義する。
また、放送受信部１０，２０で受信した番組映像、かつ、モニタ１０２，１１２でメイン表示される番組映像を番組映像ｔｓ１，ｔｓ２とする。また、番組映像ｔｓ１，ｔｓ２を縮小処理した映像を子画面映像ｔｓ１ａ，ｔｓ２ａとする。
また、各モニタ１０２，１１２で視聴しているユーザをそれぞれ、前席ユーザ、後席ユーザと記すこととし、前席後席の区別が不要な場合は単にユーザと記す。
【００３６】
以下、説明の簡略化のため、図５（ａ）に示すように、モニタ１０２，１１２にはそれぞれ異なる番組映像（番組１，番組２）がメイン表示された状態で後席モニタ１１２に対する番組選局が指示された場合について説明する。
図４に示すように、まず、後席ユーザにより操作入力部１１１を介して後席モニタ１１２に対する番組選局が指示されると、空き検出部９４は、後席モニタ１１２に対応する放送受信部２０以外の放送受信部１０により番組映像ｔｓ１が受信されているかを判断する（ステップＳＴ４１）。
【００３７】
このステップＳＴ４１において、空き検出部９４が、放送受信部１０により番組映像ｔｓ１が受信されていると判断した場合、同一番組判断部９１は、放送受信部１０からの番組映像ｔｓ１と、ユーザから指示された番組映像とが同一であるかを判断する（ステップＳＴ４２）。
【００３８】
このステップＳＴ４２において、同一番組判断部９１は、放送受信部１０からの番組映像ｔｓ１とユーザから指示された番組映像とが同一であると判断した場合、同一番組選局指示部９２は、放送受信部２０による番組映像ｔｓ２の受信を中止させ、映像分配部５１に、番組映像ｔｓ１を映像合成部５５にも分配させる（ステップＳＴ４３）。この映像合成部５４に分配された番組映像ｔｓ１は後席モニタ１１２にメイン表示される（ステップＳＴ４５）。
これにより、図５（ｂ）に示すように、後席モニタ１１２に、前席モニタ１０２と同一の、放送受信部１０からの番組映像ｔｓ１（番組１）がメイン表示され、放送受信部２０を空き状態にすることができる。
【００３９】
一方、ステップＳＴ４１において、空き検出部９４が、放送受信部１０により番組映像ｔｓ１が受信されていないと判断した場合、または、ステップＳＴ４２において、同一番組判断部９１が、放送受信部１０からの番組映像ｔｓ１とユーザから指示された番組映像とが同一ではないと判断した場合には、制御部９０は、放送受信部２０にユーザから指示された番組映像ｔｓ２を受信させる（ステップＳＴ４４）。この放送受信部２０により受信された番組映像ｔｓ２は後席モニタ１１２に表示される（ステップＳＴ４５）。
【００４０】
次に、デジタル放送受信機１の子画面表示動作について説明する。
以下、説明の簡略化のため、後席モニタ１１２に子画面を表示する場合について説明する。
図６に示すように、まず、後席ユーザにより操作入力部１１１を介して出力部１１０の電源がＯＮされると、デジタル放送受信機１は、放送受信部２０により受信された番組映像ｔｓ２をメイン表示映像として後席モニタ１１２に表示する（ステップＳＴ６１）。
これにより、図７（ａ）に示すように、後席モニタ１１２に放送受信部２０からの番組映像ｔｓ２（番組２）がメイン表示される。なお、図７（ａ）に示す例では、前席モニタ１０２には、放送受信部１０からの番組映像ｔｓ１（番組１）がメイン表示されている。
【００４１】
次いで、子画面表示指示部９５は、操作入力部１１１を介して後席ユーザから子画面表示が指示されたかを判断する（ステップＳＴ６２）。
このステップＳＴ６２において、子画面表示指示部９５は、後席ユーザから子画面表示が指示されていないと判断した場合、シーケンスはステップＳＴ６２に戻り待機状態となる。
【００４２】
一方、ステップＳＴ６２において、子画面表示指示部９５が、後席ユーザから子画面表示が指示されたと判断した場合、空き検出部９４は、放送受信部２０以外の放送受信部１０により番組映像ｔｓ１が受信されているかを判断する（ステップＳＴ６３）。
【００４３】
このステップＳＴ６３において、空き検出部９４が、放送受信部１０により番組映像ｔｓ１が受信されていると判断した場合、子画面表示指示部９５は、映像分配部５１に、番組映像ｔｓ１を映像縮小部５３に分配させる（ステップＳＴ６４）。
【００４４】
次いで、映像選択合成部５０は、子画面情報保持部９３から子画面のサイズ及び子画面配置設定情報を示す子画面情報を取得する（ステップＳＴ６５）。
次いで、映像縮小部５３は、取得された子画面情報に従い、番組映像ｔｓ１を縮小処理して子画面映像ｔｓ１ａを生成する（ステップＳＴ６６）。この映像縮小部５３により生成された子画面映像ｔｓ１ａは映像合成部５４に出力される。
【００４５】
次いで、映像合成部５４は、子画面情報に従い、後席モニタ１１２がメイン表示している番組映像ｔｓ２と、ステップＳＴ６６において映像縮小部５３により生成された子画面映像ｔｓ１ａとを合成する（ステップＳＴ６７）。この映像合成部５４により合成された番組映像は、表示制御部７１を介して後席モニタ１１２に表示される（ステップＳＴ６８）。
これにより、図７（ｂ）に示すように、後席モニタ１１２に放送受信部１０からの番組映像ｔｓ１（番組１）がサブ表示される。なお、図７（ｂ）に示す例では、前席モニタ１０２に対しても子画面表示指示がなされ、放送受信部２０からの番組映像ｔｓ２（番組２）がサブ表示された場合を示している。
【００４６】
一方、ステップＳＴ６３において、空き検出部９４が、前席モニタ１０２の電源がＯＦＦ、すなわち、第１の放送受信部１０で番組映像ｔｓ１を受信していないと判断した場合、子画面表示指示部９５は、放送受信部１０に、サブ選局を指示し、番組映像ｔｓ１を受信させる（ステップＳＴ６９）。その後、ステップＳＴ６５以降の動作を行い、番組映像の合成・表示を行う。また、このとき、前席モニタ１０２には番組映像が表示されていない。
なお、前席モニタ１０２に対する子画面表示動作についても同様であり、その説明を省略する。
【００４７】
次に、デジタル放送受信機１の放送情報取得動作について説明する。
以下、説明の簡略化のため、後席ユーザにより放送情報取得の指示がされた場合について説明する。
図８に示すように、まず、後席ユーザにより操作入力部１１１を介して出力部１１０の電源がＯＮされると、デジタル放送受信機１は、放送受信部２０により受信された番組映像ｔｓ２をメイン表示映像として後席モニタ１１２に表示する（ステップＳＴ８１）。
これにより、図９（ａ）に示すように、後席モニタ１１２に放送受信部２０からの番組映像ｔｓ２（番組２）がメイン表示される。なお、図９（ａ）に示す例では、後席モニタ１１２に、放送受信部１０からの番組映像ｔｓ１（番組１）もサブ表示されている。
【００４８】
次いで、放送情報取得指示部９６は、操作入力部１１１を介して後席ユーザから視聴可能な番組の放送情報取得が指示されたかを判断する（ステップＳＴ８２）。
このステップＳＴ８２において、放送情報取得指示部９６は、後席ユーザから放送情報取得が指示されていないと判断した場合、シーケンスはステップＳＴ８２に戻り待機状態となる。
【００４９】
一方、ステップＳＴ８２において、放送情報取得指示部９６が、後席ユーザから放送情報取得が指示されたと判断した場合、空き検出部９４は、放送受信部２０以外の放送受信部１０により番組映像ｔｓ１が受信されているかを判断する（ステップＳＴ８３）。
このステップＳＴ８３において、空き検出部９４が、放送受信部１０により番組映像ｔｓ１が受信されていないと判断した場合、シーケンスはステップＳＴ８８に進む。
【００５０】
一方、ステップＳＴ８３において、空き検出部９４が、放送受信部１０により番組映像ｔｓ１が受信されていると判断した場合、空き作成部９７は、映像分配部５１が放送受信部１０からの番組映像ｔｓ１を映像合成部５４に分配しているか、すなわち、放送受信部１０からの番組映像が主画面としてモニタ１０２に表示されているかを判断する（ステップＳＴ８４）。
【００５１】
このステップＳＴ８４において、空き作成部９７は、各放送受信部１０からの番組映像が主画面としてモニタ１０２に表示されていると判断した場合には、後席ユーザが番組視聴しているモニタ１１２に対応する放送受信部２０による番組映像ｔｓ２の受信を中止させる（ステップＳＴ８５）。次いで、空き作成部９７は、映像分配部５１に、放送受信部２０の代わりに放送受信部１０からの番組映像ｔｓ１を映像合成部５５にも分配させる（ステップＳＴ８６）。この映像分配部５１により分配された放送番組映像ｔｓ１は後席モニタ１１２にメイン表示される。
これにより、図９（ｂ）に示すように、放送受信部２０を空き状態にさせる際に、放送受信部１０からの番組映像（番組１）をモニタ１１２にもメイン表示させることで、放送情報の取得を行う際にもユーザに番組視聴させることができる。
【００５２】
一方、ステップＳＴ８４において、空き作成部９７は、映像分配部５１が番組映像ｔｓ１を映像縮小部５３にのみ分配している、すなわち、放送受信部１０からの番組映像ｔｓ１が主画面としてモニタ１０２に表示されていないと判断した場合には、この放送受信部１０による受信を中止させる（ステップＳＴ８７）。例えば、モニタ１０２の電源はＯＦＦで、放送受信部１０からの番組映像ｔｓ２をモニタ１１２でのサブ表示にのみ使用している場合には、この放送受信部１０によるサブ選局を中止し、放送情報の取得に使用する。これにより、放送情報の取得を行う際にもユーザに番組視聴を継続させることができる。
【００５３】
次いで、放送情報取得指示部９６は、図９（ｃ）に示すように、空き状態の放送受信部１０に放送情報を取得させる（ステップＳＴ８８）。
なお、前席ユーザによる放送情報取得指示の場合も同様に動作するものであり、その説明を省略する。
【００５４】
以上のように、この発明の実施の形態１によれば、放送受信部１０，２０からの番組映像ｔｓ１，ｔｓ２が全てモニタ１０２，１１２にメイン表示されている状態で、ユーザから放送情報取得が指示された場合にも、ユーザが番組視聴しているモニタ１０２（１１２）に対応する放送受信部１０（２０）による受信を中止させて放送情報を取得させ、その間、他方の放送受信部２０（１０）からの番組映像をモニタ１０２にもメイン表示させるように構成したので、放送情報の取得を指示した際に放送受信部１０，２０に空きがない場合にも、番組視聴を行いながら放送情報を取得することができるため、ユーザの番組視聴が妨げられることを防止することができる。
【００５５】
なお、この実施の形態１のデジタル放送受信機１では、２つの放送受信部１０，２０と２つモニタ１０２，１１２を備えた場合について説明したが、これに限るものではなく、Ｎ（Ｎは２以上）個の放送受信部とＮ個のモニタを備えたデジタル放送受信機１に対しても同様に適用することができる。
【００５６】
実施の形態２．
実施の形態１のデジタル放送受信機１では、２つの放送受信部１０，２０を設け、２つのモニタ１０２，１１２に主画面及び子画面を表示する構成について説明したが、実施の形態２のデジタル放送受信機１は、３つの放送受信部１０，２０，１２０を設け、２つのモニタ１０２，１１２に１つの主画面と２つの子画面を表示するように構成したものである。
なお、実施の形態１と同様の構成及び動作については、各部に同一の符号を付し、その説明を省略する。
【００５７】
図１０に示す実施の形態２のデジタル放送受信機１は、図１に示す実施の形態１のデジタル放送受信機１に放送受信部１２０をさらに設けたものである。
放送受信部１２０は、アンテナ１２１、チューナ１２２及びＯＦＤＭ復調部１２３から構成されており、放送受信部１０，２０と同一の構成である。この放送受信部１２０からの放送番組データは、放送受信部１０，２０からの放送番組データとともにデジタル復号部３０に出力される。
【００５８】
上記のように、２つのモニタ１０２，１１２に対して３つの放送受信部１０，２０，１２０を設けた場合、主画面を表示できるモニタは２つなので、３つの放送受信部１０，２０，１２０全てで番組映像を受信させた場合に、必ず１つの放送受信部ではサブ選局のみを行うことになる。
例えば、図１１（ａ）では、放送受信部１０からの番組映像ｔｓ１（番組１）をモニタ１０２にメイン表示しモニタ１１２にサブ表示し、放送受信部２０からの番組映像ｔｓ２（番組２）をモニタ１１２にメイン表示しモニタ１０２にサブ表示し、放送受信部１２０からの番組映像ｔｓ３（番組３）をモニタ１０２，１１２にサブ表示している。
【００５９】
ここで、例えば後席ユーザから放送情報取得が指示された場合、図１１（ｂ）に示すように、サブ選局のみを行っている放送受信部１２０の受信を中止させ、放送情報を取得させる。
これにより、放送情報を取得している際もユーザはメイン視聴している番組を継続して視聴することができ、ユーザの番組視聴が妨げられることを防止することができる。
【００６０】
以上のように、この発明の実施の形態２によれば、サブ選局のみを行っている放送受信部が存在する場合に、この放送受信部による番組映像の受信を中止させ、放送情報を取得させるように構成したので、放送情報の取得を指示した際に放送受信部１０，２０，１２０に空きがない場合にも、番組視聴を継続させながら放送情報を取得することができるため、ユーザの番組視聴が妨げられることを防止することができる。
【００６１】
なお、この実施の形態２のデジタル放送受信機１では、２つモニタ１０２，１１２に対して３つの放送受信部１０，２０，１２０を設けた場合について説明したが、これに限るものではなく、Ｎ（Ｎは２以上）個のモニタに対して、（Ｎ＋Ｍ（Ｍは１以上））個の放送受信部を備えたデジタル放送受信機１に対しても同様に適用することができる。このように、モニタに対して放送受信部を多く設けることにより、子画面表示を保ちながら高感度、高速な放送情報取得処理を行うことができる。
【００６２】
実施の形態３．
実施の形態１，２のデジタル放送受信機１では、放送情報取得が指示され、空き状態の放送受信部がない場合に、所定の放送受信部を空き状態にして放送情報を取得させる構成について説明したが、実施の形態３のデジタル放送受信機１は、所定のモニタに番組表を表示させ、他のモニタの番組選局を行うように構成したものである。
なお、実施の形態１と同様の構成及び動作については、各部に同一の符号を付し、その説明を省略する。また、実施の形態３のデジタル放送受信機１の構成は図１に示す実施の形態１のデジタル放送受信機１の構成と同一であり、その説明を省略する。
【００６３】
図１２に示す実施の形態３のデジタル放送受信機１の制御部９０は、実施の形態１のデジタル放送受信機１の制御部９０から同一番組判断部９１、同一番組選局指示部９２、放送情報取得指示部９６及び空き作成部９７を削除し、番組表表示指示部９８及び番組選局指示部９９を設けたものである。
【００６４】
番組表表示指示部９８は、操作入力部１０１（１１１）を介してユーザから番組表表示が指示された場合に、所定のモニタ１０２（１１２）に対応する表示制御部６１（７１）にグラフィクス作成部３３により作成された番組表を出力させ、モニタ１０２（１１２）に表示させるものである。
【００６５】
番組選局指示部９９は、操作入力部１０１（１１１）を介してユーザから、所定のモニタ１０２（１１２）に表示された番組表に基づき、他のモニタ１１２（１０２）に対する主画面または子画面の番組選局が指示された場合に、所定の放送受信部１０，２０にユーザから指示された番組映像を受信させ、その番組映像を主画面としてモニタ１１２（１０２）に表示させるものである。
ここで、番組選局指示部９９は、他のモニタ１１２（１０２）に対する主画面の番組選局が指示された場合には、他のモニタ１１２（１０２）に対応する放送受信部２０（１０）にユーザから指示された番組映像を受信させ、その番組映像を主画面としてモニタ１１２（１０２）に表示させる。一方、番組選局指示部９９は、他のモニタ１１２（１０２）に対する子画面の番組選局が指示された場合には、所定のモニタ１０２（１１２）に対応する放送受信部１０（２０）にユーザから指示された番組映像を受信させ、放送受信部１０（２０）からの番組映像を子画面としてモニタ１１２（１０２）に表示させる。
【００６６】
次に、デジタル放送受信機１の番組選局動作について説明する。
以下、説明の簡略化のため、後席モニタに番組表を表示して前席モニタの番組選局を行う場合について説明する。なお、前席モニタは電源がＯＮされ、放送受信部１０からの番組映像ｔｓ１がメイン表示されているものとする。
【００６７】
図１３に示すように、まず、後席ユーザにより操作入力部１１１を介して出力部１１０の電源がＯＮされ、番組表表示が指示されると、番組表表示指示部９８は、後席ユーザに対応する表示制御部７１にグラフィクス作成部３３により作成された番組表を出力させ、この番組表を後席モニタ１１２に表示させる（ステップＳＴ１３１）。
【００６８】
次いで、番組選局指示部９９は、操作入力部１１１を介して後席ユーザから、後席モニタ１１２に表示された番組表に基づいて、前席モニタ１０２に対する番組選局が指示されたかを判断する（ステップＳＴ１３２）。
このステップＳＴ１３２において、番組選局指示部９９は、後席ユーザから前席モニタ１０２に対する番組選局表表示が指示されていないと判断した場合、シーケンスはステップＳＴ１３２に戻り待機状態となる。
【００６９】
一方、ステップＳＴ１３２において、番組選局指示部９９は、後席ユーザから前席モニタ１０２に対する番組選局が指示されたと判断した場合、メイン選局が指示されたかを判断する（ステップＳＴ１３３）。
【００７０】
このステップＳＴ１３３において、番組選局指示部９９は、後席ユーザから前席モニタ１０２に対するメイン選局が指示されたと判断した場合には、前席モニタ１０２に対応する放送受信部１０にユーザから指示された番組映像を受信させ、前席モニタ１０２にメイン表示させる（ステップＳＴ１３４）。
これにより、図１４（ａ）に示すように、後席モニタ１１２に表示された番組表に基づいて、前席モニタ１０２にメイン表示する番組を選局することができる。このように、後席モニタ１１２を前席モニタ１０２の副画面として利用することで、番組視聴を継続しながら番組表を表示することができる。
【００７１】
一方、ステップＳＴ１３３において、番組選局指示部９９は、後席ユーザから前席モニタ１０２に対するサブ選局が指示されたと判断した場合には、番組表が表示されたモニタ１１２に対応する放送受信部２０にユーザから指示された番組映像を受信させ、前席モニタ１０２にサブ表示させる（ステップＳＴ１３５）。
ここで、番組表が表示されているモニタ１１２に対応する放送受信部２０では、番組表を作成するための放送情報の受信を行った後は空き状態となっている。そこで、空き状態の放送受信部２０を用いてサブ選局させることで、図１４（ｂ）に示すように、後席モニタ１１２に表示された番組表に基づいて、前席モニタ１０２にサブ表示する番組を選局することができる。このように、後席モニタ１１２を副画面として利用することで、番組視聴を継続しながら番組表を表示することができる。
【００７２】
以上のように、この発明の実施の形態３によれば、所定のモニタ１１２（１０２）に表示された番組表に基づいて、他のモニタ１０２（１１２）に対する主画面または子画面の番組選局を行うように構成したので、番組表が表示されたモニタ１１２（１０２）を、番組選局対象のモニタ１０２（１１２）の副画面として利用することで、番組視聴を継続しながら番組表を表示することができ、ユーザの番組視聴が妨げられることを防止することができる。
【００７３】
なお、実施の形態３のデジタル放送受信機１では、番組表を出力する出力制御部７０（６０）と、番組表が表示されるモニタ１０２（１１２）とは有線接続することを想定して説明を行ったが、この出力部７０（６０）とモニタ１０２（１１２）とを無線接続して、モニタ１０２（１１２）は電波により番組表を受信するように構成してもよい。
また、実施の形態１−３におけるその他のモニタ１０２，１１２と出力部６０，７０との接続についても同様に、有線であってもよいし、無線であってもよい。
【００７４】
また、実施の形態３のデジタル放送受信機１では、他モニタ１０２（１１２）の番組選局を行うためモニタ１１２（１０２）に番組表を表示するとして説明を行ったが、これに限るものではなく、モニタ１１２（１０２）に各番組を示すロゴやタイトルを表示するように構成してもよい。また、番組表をモニタ１１２（１０２）に表示するものとして説明したが、これに限るものではなく、例えばリモコンに設けた液晶パネルなど、その他のデバイスに番組表、ロゴやタイトルなどを表示させるように構成してもよい。
【００７５】
また、実施の形態３のデジタル放送受信機１では、２つの放送受信部１０，２０と２つのモニタ１０２，１１２を用いて説明を行ったが、これに限るものではなく、Ｎ（Ｎは２以上）個の放送受信部とＬ（Ｌは２以上）個のモニタを備えたデジタル放送受信機１に対しても同様に適用することができる。この場合、ユーザは操作入力部を介して番組選局対象のモニタを指定する。また、操作入力部を介して、番組映像を受信させる放送受信部を指定することができるように構成してもよい。
【００７６】
また、実施の形態１−３のデジタル放送受信機１では、車載用のデジタル放送受信機を用いて説明を行ったが、これに限るものではなく、例えば施設内に複数のモニタが設置されたデジタル放送受信機に対しても同様に適用することができる。
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７７】
この発明に係るデジタル放送受信機は、複数の放送受信部を有効利用することで、ユーザの番組視聴を妨げることなく、放送情報の取得や、番組表表示・番組選局を行うことができるので、子画面表示機能を有し、複数の放送受信部で選局受信した番組映像を、それぞれ独立に選択表示可能な複数のモニタで表示するデジタル放送受信機等に用いるのに適している。
【図１】
2012053039.tif 000003
【図２】
2012053039.tif 000004
【図３】
2012053039.tif 000005
【図４】
2012053039.tif 000006
【図５】
2012053039.tif 000007
【図６】
2012053039.tif 000008
【図７】
2012053039.tif 000009
【図８】
2012053039.tif 000010
【図９】
2012053039.tif 000011
【図１０】
2012053039.tif 000012
【図１１】
2012053039.tif 000013
【図１２】
2012053039.tif 000014
【図１３】
2012053039.tif 000015
【図１４】
2012053039.tif 000016
【国際調査報告】
2012053039.tif 000017
2012053039.tif 000018
2012053039.tif 000019
2012053039.tif 000020
2012053039.tif 000021
2012053039.tif 000022
2012053039.tif 000023
2012053039.tif 000024